(57)【要約】【課題】管路を封止する栓体を管路口金から取り外すことなく管路内に挿通される処置具を内視鏡に対して着脱可能とし、内視鏡観察下における処置の操作を容易なものとする内視鏡用アダプタを提供する。【解決手段】本発明の内視鏡用アダプタは、内視鏡及び内視鏡の管路に挿通される内視鏡用処置具を接続する内視鏡用アダプタであって、内視鏡の管路口金と、内視鏡用処置具を着脱自在でありかつ内視鏡用処置具が挿通される貫通孔を有する処置具固定口金と、を同一軸線上に固定し、かつ管路口金と処置具固定口金との間に、管路口金を封止する栓体を収容する空間である栓体配設部を設けたことを特徴とする。【選択図】図４
2010094367.tif 000002
【特許請求の範囲】
【請求項１】
管路と前記管路の端部に設けられた管路口金とを有してなる内視鏡及び前記管路に挿通される内視鏡用処置具を接続する内視鏡用アダプタであって、
前記内視鏡用処置具を着脱自在であり、かつ前記内視鏡用処置具が挿通される貫通孔を有する処置具固定口金と、
前記管路の軸線に沿って見た場合に前記貫通孔の少なくとも一部が前記管路口金の開口部に重なるように、前記処置具固定口金を前記内視鏡に固定する内視鏡固定部と、
前記処置具固定部と前記管路口金との間に形成され、前記開口部を封止する栓体を収容する空間である栓体配設部と、
を具備することを特徴とする内視鏡用アダプタ。
【請求項２】
前記軸線から離間した位置において前記軸線に沿って延在する腕部を有してなり、前記処置具固定口金と前記内視鏡固定部とを接続する連結部を具備することを特徴とする請求項１に記載の内視鏡用アダプタ。
【請求項３】
前記連結部は、前記内視鏡固定部に対して前記処置具固定口金を、前記腕部の中心軸周りに回動可能に支持することを特徴とする請求項２に記載の内視鏡用アダプタ。
【請求項４】
前記内視鏡固定部は、前記内視鏡の所定の箇所を把持する把持部を有し、かつ前記内視鏡に着脱自在であることを特徴とする請求項１から３のいずれか一項に記載の内視鏡用アダプタ。
【請求項５】
前記把持部は、前記管路口金を側方から把持することを特徴とする請求項４に記載の内視鏡用アダプタ。
【請求項６】
前記把持部が前記内視鏡の所定の箇所を把持した状態において、前記管路口金の端部に連接されて前記管路を前記軸線に沿って延長する筒状部材であって、かつ端部が前記管路の端部と同一形状である延長口金部を具備することを特徴とする請求項４に記載の内視鏡用アダプタ。
【発明の詳細な説明】
【技術分野】
【０００１】
本発明は、管路と前記管路の端部に設けられた管路口金とを有してなる内視鏡及び前記管路に挿通される内視鏡用処置具を接続する内視鏡用アダプタに関する。
【背景技術】
【０００２】
内視鏡の挿入部を被検体の体内の所定の部位に挿入し、前記内視鏡の観察下において、挿入部に設けられた管路を介して体内に挿入される処置具を用い所定の部位に各種治療処置や検査処置を行う技術が知られている。管路は、挿入部の先端部に設けられた処置具挿通口と、内視鏡の操作部に設けられた管路口金とを連通している。
【０００３】
例えば、特開２００５−３４９１２１号公報には、超音波内視鏡による超音波断層像観察下において、管路に挿通される処置具である穿刺針を病変組織に穿刺し、体組織又は体液を採取して病理確定診断を行う技術が開示されている。
【０００４】
例えば穿刺針のような処置具は、管路口金に螺合するねじ部を有し、前記ねじ部を管路口金に螺合し内視鏡に対して固定された状態において使用される。
【特許文献１】特開２００５−３４９１２１号公報
【発明の開示】
【発明が解決しようとする課題】
【０００５】
内視鏡の挿入部を被検体の体内に挿入する作業時、及び内視鏡の挿入部を被検体の体内から抜去する作業時には、管路を封止する栓体が管路口金に装着される。一方、管路内に処置具を挿通する場合には、処置具を管路口金に固定する必要があることから、管路口金から栓体を取り外さねばならない。
【０００６】
すなわち、管路口金に装着される処置具を用いて内視鏡観察下における処置を行う場合、術者は栓体の着脱を繰り返す必要がある。
【０００７】
本発明は、上記問題点に鑑みてなされたものであり、管路を封止する栓体を管路口金から取り外すことなく、管路内に挿通される処置具を内視鏡に対して着脱可能とし、内視鏡観察下における処置の操作を容易なものとする内視鏡用アダプタを提供することを目的とする。
【課題を解決するための手段】
【０００８】
本発明の内視鏡用アダプタは、管路と前記管路の端部に設けられた管路口金とを有してなる内視鏡及び前記管路に挿通される内視鏡用処置具を接続する内視鏡用アダプタであって、前記内視鏡用処置具を着脱自在であり、かつ前記内視鏡用処置具が挿通される貫通孔を有する処置具固定口金と、前記管路の軸線に沿ってみた場合に前記貫通孔の少なくとも一部が前記管路口金の開口部に重なるように、前記処置具固定口金を前記内視鏡に固定する内視鏡固定部と、前記処置具固定部と前記管路口金との間に形成され、前記開口部を封止する栓体を収容する空間である栓体配設部と、を具備することを特徴とする。
【発明を実施するための最良の形態】
【０００９】
本発明の内視鏡用アダプタの好ましい形態について図面を参照して説明する。なお、以下の説明に用いた各図においては、各構成要素を図面上で認識可能な程度の大きさとするため、各構成要素毎に縮尺を異ならせてあるものであり、本発明は、これらの図に記載された構成要素の数量、構成要素の形状、構成要素の大きさの比率、及び各構成要素の相対的な位置関係のみに限定されるものではない。
【００１０】
（第１の実施形態）
以下に、本発明の第１の実施形態を説明する。図１は、内視鏡の概略構成を示す説明図である。図２は、処置具の概略構成を示す説明図である。図３は、第１の実施形態の内視鏡用アダプタが内視鏡に固定された状態を示す斜視図である。図４は、管路口金に栓体が装着された状態を示す斜視図である。図５は、第１の実施形態の内視鏡用アダプタの詳細な構成を説明するための斜視図である。
【００１１】
まず、図１を参照して、内視鏡の構成の一例を説明する。図１に示す内視鏡１０１は、被検体の体内において所定の部位に超音波を送受することにより、前記所定の部位の超音波断層像を取得する、いわゆる超音波内視鏡である。
【００１２】
内視鏡１０１は、被検体の体内に挿入される挿入部１０２と、この挿入部１０２の基端に位置する操作部１０３と、この操作部１０３の側部から延出するユニバーサルコード１０４とで主に構成されている。
【００１３】
前記ユニバーサルコード１０４の基端部には図示しない光源装置に接続される内視鏡コネクタ１０４ａが設けられている。この内視鏡コネクタ１０４ａからは図示しないカメラコントロールユニットに電気コネクタ１０５ａを介して着脱自在に接続される電気ケーブル１０５及び図示しない超音波観測装置に超音波コネクタ１０６ａを介して着脱自在に接続される超音波ケーブル１０６が延出されている。
【００１４】
前記挿入部１０２は、先端側から順に先端部１２０、この先端部１２０の基端側に位置する湾曲自在な湾曲部１０８、この湾曲部１０８の後端に位置して前記操作部１０３の先端部に至る細径かつ長尺で可撓性を有する可撓管部１０９が連設されて構成されている。また、前記先端部１２０の先端側には超音波を送受するための超音波探触子１２２が設けられている。
【００１５】
また、詳しくは図示しないが、挿入部１０２の先端部１２０には、観察部位に照明光を照射する照明光学部を構成する照明レンズ、及び観察部位の光学像を捉える観察光学部を構成する対物レンズからなる観察光学系が配設されている。
【００１６】
前記操作部１０３には前記湾曲部１０８を所望の方向に湾曲制御するアングルノブ１１１、送気及び送水操作を行うための送気・送水ボタン１１２及び吸引操作を行うための吸引ボタン１１３等が設けられている。
【００１７】
また、挿入部１０２内には、管路２００が設けられている。管路２００は、先端部１２０に設けられた処置具挿通口２０１と、操作部１０３に設けられた管路口金２１０の開口部２１１とを連通している。前記管路２００には、管路口金２１０の開口部２１１から後述する処置具３００が挿通される。また、管路２００は、吸引を行うために用いられるものであってもよい。
【００１８】
なお、内視鏡１０１の形態は上述した超音波内視鏡に限られるものではなく、光学的に被検体の体内を観察する光学内視鏡であってもよい。また、内視鏡１０１は、挿入部に可撓性を有する部位を具備しない、いわゆる硬性鏡と称される形態のものであってもよい。
【００１９】
図２に示す本実施形態の処置具３００は、穿刺吸引細胞診（Fine Needle Aspiration：FNA）に用いられる、いわゆる吸引生検針と称される形態のものである。
【００２０】
以下に説明するように、処置具３００は、被検体の体内において内視鏡１０１の先端部１２０の処置具挿通口２０１から先端が鋭利な針状とされた管状部材である針管３１２を突出させて目的部位に穿刺することにより、前記針管３１２内に体組織や体液を採取するためのものである。
【００２１】
処置具３００は、上記内視鏡１０１の管路口金２１０から管路２００内に挿通される細長の管状のシース３１１と、前記シース３１１の基端部に配置されたハンドル部３０１と、シース３１１内において進退自在に挿通配置される針管３１２と、針管３１２内に挿抜可能に配設されたスタイレット３１３とを具備して主に構成されている。
【００２２】
ハンドル部３０１は、後述する内視鏡用アダプタ１により内視鏡１０１の管路口金２１０に対して固定される固定部３０１ａと、前記固定部３０１ａに対して摺動自在に配設されたニードルスライダ３０２と、スタイレット操作部３０３とにより構成されている。
【００２３】
シース３１１の基端部は、固定部３０１ａに対して固定されており、針管３１２の基端部は、ニードルスライダ３０２に固定されており、スタイレット３１３の基端部は、スタイレット操作部３０３に固定されている。
【００２４】
固定部３０１ａの先端部には、雌ねじ部３０１ｂが形成されている。処置具３００は、前記雌ねじ部３０１ｂが後述する内視鏡用アダプタ１の処置具固定口金１０に螺合することで、内視鏡用アダプタ１に対して固定される。
【００２５】
本実施形態の処置具３００では、ニードルスライダ３０２の摺動に応じて針管３１２がシース３１１内において進退移動する。またスタイレット操作部３０３をハンドル部３０１から取り外すことにより、スタイレット３１３は針管３１２内から抜去される。
【００２６】
なお、本実施形態では、内視鏡１０１の管路２００に挿通される処置具の一例として吸引生検針を挙げたが、処置具３００は他の形態、例えば鉗子等であってもよい。
【００２７】
以下に、内視鏡１０１に処置具３００を固定するための内視鏡用アダプタ１の構成を説明する。
【００２８】
本実施形態の内視鏡用アダプタ１は、前記処置具３００の固定部３０１ａが着脱自在に固定される処置具固定口金１０と、前記内視鏡１０１の操作部１０３に固定可能に構成された内視鏡固定部２０とを具備して主に構成されている。
【００２９】
処置具固定口金１０は、略筒形状を有し、中心軸に沿って一方の端部から他方の端部に貫通する貫通孔１１が形成されてなる。また処置具固定口金１０の一方の端部の側面部には、処置具３００の固定部３０１ａの雌ねじ部３０１ｂに螺合するねじ山である雄ねじ部１２が形成されている。
【００３０】
前記雄ねじ部１２に処置具３００の雌ねじ部３０１ｂが螺合した状態において、処置具固定口金１０の貫通孔１１内には処置具３００のシース３１１が挿通される。
【００３１】
なお、図３においては処置具固定口金１０は断面が略円形の筒形状として記載しているが、処置具固定口金１０は処置具３００が着脱自在に構成された形態であればよい。例えば、処置具固定口金１０の形状は、略矩形の断面形状を有する筒形状であってもよい。
【００３２】
内視鏡固定部２０は、上記処置具固定口金１０に固定された処置具３００のシース３１１が、管路口金２１０の開口部２１１内に挿通可能なように、処置具固定口金１０を内視鏡１０１に位置決めして固定する部材である。
【００３３】
処置具固定口金１０と内視鏡固定部２０とは、管路２００の軸線から離間した位置において管路２００の軸線に沿って延在する腕部３１を有してなる略コの字形状の連結部３０によって接続されている。
【００３４】
図３に示すように、本実施形態の内視鏡用アダプタ１では、内視鏡固定部２０が内視鏡１０１に固定された状態において、処置具固定口金１０が、管路口金２１０とは所定の距離だけ離間し、かつ処置具固定口金１０の軸線が管路２００の軸線に沿うように配置される。
【００３５】
ここで、処置具固定口金１０と管路口金２１０とは間の空間は、図４に示すように、管路口金２１０の開口部２１１を封止する栓体５０を配設可能とする栓体配設部４０として構成される。栓体５０は、管路口金２１０の端部に装着されるゴム等の樹脂からなる部材であって、管路口金２１０の開口部２１１を開閉可能に構成された蓋体５１を具備してなる。
【００３６】
言い換えれば、本実施形態の内視鏡用アダプタ１が内視鏡１０１に固定された状態において、処置具固定口金１０の貫通孔１１は、管路２００の軸線に沿って見た場合に少なくとも一部が管路口金２１０の開口部２１１と重なるように配設される。
【００３７】
そして、処置具固定口金１０と管路口金２００との間の空間である栓体配設部４０には、蓋体５１の脱着により開口部２１１を開閉自在に構成された栓体５０が配設されている。
【００３８】
以上のように構成された本実施形態の内視鏡用アダプタ１は、内視鏡１０１に対して処置具３００を、管路２００内にシース３１１が挿通可能な状態で固定することができる。
【００３９】
そして、内視鏡用アダプタ１が内視鏡１０１に固定された状態において、栓体５０の蓋体５１の開閉操作が可能であることから、内視鏡１０１の挿入部１０２を被検体の体内に挿抜する作業時には、蓋体５１により管路口金２１０の開口部２１１を封止することができる。
【００４０】
一方で、内視鏡１０１の挿入部１０２の先端部１２０が被検体の体内の目的部位に達し、処置具３００のシース３１１を管路２００内に挿通させる作業は、蓋体５１を開放位置にすることで、栓体５０を管路口金２１０から取り外すことなく行うことができる。
【００４１】
すなわち、本実施形態の内視鏡用アダプタ１は、管路２００を封止する栓体５０を管路口金２１０から取り外すことなく、管路２００内に挿通される処置具３００を内視鏡１０１に対して脱着可能とし、内視鏡１０１の操作を容易なものとすることができる。
【００４２】
次に、上述した内視鏡用アダプタ１を内視鏡１０１に固定する構成の一例を説明する。
【００４３】
本実施形態においては、図５に示すように、内視鏡１０１の管路口金２１０の側部に、管路２００の軸線に略直交する平面上において管路口金２１０を挟むように配設された一対のレール部２２２及び２３２を具備してなる係合部２２０が設けられている。
【００４４】
一方、内視鏡用アダプタ１の内視鏡固定部２０は、上記係合部２２０の一対のレール部２２２及び２３２に管路口金２１０の側方から係合して、管路口金２１０の側部を弾性的に把持する一対の腕部２１及び２２を具備して構成されている。
【００４５】
腕部２１及び２２の先端部には、それぞれ対向する内向きに突出する凸部２３及び２４が形成されている。すなわち、凸部２３及び２４間の距離は、係合部２２０の一対のレール部２２２及び２３２間の距離よりも小さい。
【００４６】
また、前記凸部２３及び２４は、内視鏡固定部２０が係合部２２０に係合した状態において、前記係合部２２０を相対的に腕部２１及び２２の基端側に付勢するように形成されている。
【００４７】
したがって、内視鏡固定部２０が係合部２２０に係合した状態では、凸部２３及び２４間の距離が一対のレール部２２２及び２３２間の距離にまで達するように一対の腕部２１及び２２間の距離を押し広げる所定の大きさ以上の力が加えられない限り、内視鏡固定部２０は係合部２２０から脱落することはない。
【００４８】
以上の構成により、内視鏡用アダプタ１は、内視鏡１０１に固定される。本実施形態のように、内視鏡固定部２０を管路口金２１０の側方から内視鏡１０１の係合部２２０に係合するように構成することで、栓体５０を管路口金２１０から取り外すことなく、内視鏡アダプタ１を内視鏡１０１に脱着することができる。
【００４９】
また、本実施形態においては、処置具固定口金１０には、側面部を軸線に沿って一方の端部から他方の端部まで所定の幅で切断してなるスリット１３が形成されている。すなわち、処置具固定口金１０を軸線に沿う方向から見た場合、略筒形状の処置具固定口金１０は前記スリット１３によって一部が切り欠かれた形状を有する。
【００５０】
処置具固定口金１０は、このスリット１３が、内視鏡固定部２０の一対の腕部２１及び２２の基端から先端に向かう方向と略同一の方向に向くように連結部３０に固定されている。また、連結部３０にも、前記スリット１３に対応する位置にスリット３２が形成されている。
【００５１】
言い換えれば、内視鏡用アダプタ１を、腕部２１及び２２の先端に対向する方向から見た場合に、スリット１３及びスリット３２は、正面に面するように配設されている。
【００５２】
以上のように、内視鏡固定部２０を管路口金２１０の側方から内視鏡１０１の係合部２２０に係合するように構成し、かつ処置具固定口金１０及び連結部３０の側部に貫通孔１１に達するスリット１３及び３２を形成することによって、管路２００内に処置具３００のシース３１１が挿通されている状態、例えば、内視鏡用アダプタ１を内視鏡１０１に接続し忘れて、処置具３００を管路２００内に挿通してしまった場合でも、内視鏡用アダプタ１を脱着することができる。
【００５３】
（第２の実施形態）
以下に、本発明の第２の実施形態を説明する。第２の実施形態は、内視鏡用アダプタの別の形態の例を示すものである。図６は、第２の実施形態の内視鏡用アダプタの斜視図である。
【００５４】
第２の実施形態は、上述した第１の実施形態に対して内視鏡固定部の形態が異なる。よって、以下ではこの相違点のみを説明するものとし、また、第１の実施形態と同様の構成要素については同一の符号を付し、その説明を適宜に省略するものとする。
【００５５】
図６に示すように、本実施形態の内視鏡用アダプタ４０１の内視鏡固定部４２０は、係合部２２０の一対のレール部２２２及び２３２に係合する一対の腕部４２１及び４２２を具備して構成されている。
【００５６】
腕部４２１及び４２２の先端部には、それぞれ略同一の直線軸上にねじ孔４２３及び貫通孔４２４が形成されている。貫通孔４２４内には、先端にねじ孔４２３に螺合する雄ねじ部が形成されたクランプ用ねじ４２６が挿通されている。
【００５７】
前記クランプ用ねじ４２６には、貫通孔４２４から抜け落ちないよう両端に抜け止めが設けられている。また、クランプ用ねじ４２６は、バネ４２５によって腕部４２１から離れる方向に付勢されており、雄ねじ部がねじ孔４２３に螺合していない状態においては、図６に示すように、腕部４２１から最も離間した状態となる。
【００５８】
ここで、クランプ用ねじ４２６が腕部４２１から最も離間した状態における、クランプ用ねじ４２６の先端と腕部４２１との間の距離は、係合部２２０の一対のレール部２２２及び２３２間の距離よりも大きい。
【００５９】
本実施形態の内視鏡用アダプタ４０１を内視鏡１０１に固定する場合、まずクランプ用ねじ４２６がねじ孔４２３に螺合せず腕部４２１から最も離間した状態において、腕部４２１及び４２２を、係合部２２０のレール部２２２及び２３２に係合させる。
【００６０】
そして、クランプ用ねじ４２６をねじ孔４２３に螺合させることで、一対の腕部４２１及び４２２を近づく方向に弾性変形させ、腕部４２１及び４２２により係合部２２０を把持させる。
【００６１】
したがって、本実施形態によれば、第１の実施形態に比してより強固に内視鏡用アダプタ４０１を内視鏡１０１に固定することができる。
【００６２】
なお、本実施形態において内視鏡用アダプタ４０１を内視鏡１０１に固定、取り外し、または固定と脱着とを行う操作は、クランプ用ねじ４２６が貫通孔４２４から脱落せず、かつバネ４２５により一方に付勢されていることから片手で行うことができる。
【００６３】
（第３の実施形態）
以下に、本発明の第３の実施形態を説明する。第３の実施形態は、内視鏡用アダプタの別の形態の例を示すものである。図７は、第３の実施形態の内視鏡用アダプタの斜視図である。
【００６４】
第３の実施形態は、上述した第１の実施形態に対して連結部の形態が異なる。よって、以下ではこの相違点のみを説明するものとし、また、第１の実施形態と同様の構成要素については同一の符号を付し、その説明を適宜に省略するものとする。
【００６５】
本実施形態の内視鏡用アダプタ５０１は、処置具固定口金１０を、処置具固定口金１０の軸線と離間しかつ処置具固定口金１０の軸線に略平行な中心軸周りに回動可能に支持し、かつ前記中心軸に沿って移動可能に支持する構成を有する。
【００６６】
具体的には、図７に示すように、処置具固定口金１０を保持する保持部５３３には、処置具固定口金１０の軸線と離間した位置において処置具固定口金１０の軸線と略平行に延出する円柱形状の軸部材５３４が固設されている。軸部材５３４は、側面の一部に中心軸と略平行な平面部５３５が形成された、いわゆるＤカット軸である。
【００６７】
前記軸部材５３４は、内視鏡固定部５２０に形成された貫通孔５４１内において摺動可能に挿通される。内視鏡固定部５２０には、側面部から貫通孔５４１に連通するねじ孔５４２が形成されており、前記ねじ孔５４２には固定用ねじ５５０が螺合される。
【００６８】
本実施形態では、固定用ねじ５５０を、ねじ孔５４２に締め込むことにより、固定用ねじ５５０の先端部が軸部材５３４の側面に当接し、軸部材５３４が内視鏡固定部５２０に対して固定される。
【００６９】
また、本実施形態では、固定用ねじ５５０の先端部を軸部材５３４の平面部５３５に当接させることによって、軸部材５３４の回転方向の位置を固定することができる。ここで、固定用ねじ５５０の先端部を軸部材５３４の平面部５３５に当接させた状態において、保持部５３３に保持された処置具固定口金１０は、第１の実施形態と同様に管路２００の軸線上に位置決めされる。
【００７０】
また、この状態から固定用ねじ５５０を若干緩めると、軸部材５３４は、中心軸周りの回動を規制された状態のまま、内視鏡固定部５２０に対して中心軸に沿う方向に摺動可能となる。
【００７１】
すなわち、本実施形態によれば、内視鏡用アダプタ５０１を内視鏡１０１に固定した状態において、処置具固定口金１０と管路口金２１０との間の距離を変更することができ、管路２００に挿通される処置具３００のシース３１１の処置具挿通口２０１からの突出量の調整、又は栓体配設部５３０の高さの調整を行うことができる。
【００７２】
また、さらに固定用ねじ５５０を緩め先端部が貫通孔５４１内に突出しないようにすると、軸部材５３４は、内視鏡固定部５２０に対して中心軸周りに回動可能となる。
【００７３】
すなわち、本実施形態によれば、内視鏡用アダプタ５０１を内視鏡１０１に固定した状態において軸部材５３４を回動させることにより、処置具固定口金１０を、管路２００の軸線上から退避させることができ、管路２００に処置具３００とは異なる処置具、例えば鉗子等を容易に挿通させることができる。
【００７４】
（第４の実施形態）
以下に、本発明の第４の実施形態を説明する。第４の実施形態は、内視鏡用アダプタの別の形態の例を示すものである。図８は、第４の実施形態の内視鏡用アダプタの構成を説明する部分断面図である。図９は、第４の実施形態の内視鏡用アダプタを、内視鏡に固定される基端側から見た図である。図１０は、第４の実施形態の内視鏡用アダプタが管路口金に固定された状態を示す図である。
【００７５】
第４の実施形態は、上述した第１の実施形態に対して内視鏡用アダプタを内視鏡に固定する構成が異なる。よって、以下ではこの相違点のみを説明するものとし、また、第１の実施形態と同様の構成要素については同一の符号を付し、その説明を適宜に省略するものとする。
【００７６】
第４の実施形態の内視鏡用アダプタ６０１は、内視鏡１０１の管路口金２１０の先端部に形成されたフランジ部２１０ａを把持することで、内視鏡１０１に対して固定される形態を有する。
【００７７】
図８に示すように、内視鏡用アダプタ６０１の内視鏡固定部６２０は、略円筒状であり、先端部が管路口金２１０と略同一の形状である延長口金部６７０と、前記延長口金部６７０の基端部に螺合する略円筒形状の固定リング６２１とを具備して主に構成されている。
【００７８】
延長口金部６７０の基端部側の外周面には、雄ねじ部６７２が形成されている。一方、固定リング６２１は、内周面に形成された雌ねじ部６２２と、内周面から延長口金部６７０の基端部に対向するように内側に延出する押圧部６２３とを具備して構成されている。
【００７９】
固定リング６２１の押圧部６２３は、図９に示すように、側方から前記押圧部６２３と延長口金部６７０の基端部との間に、内視鏡１０１の管路口金２１０の先端部を挿入可能とする略Ｕ字状の切り欠き部６２４が形成されている。
【００８０】
前記切り欠き部６２４の互いに対向する２面間の距離は、管路口金２１０のフランジ部２１０ａの直径よりも小さい。また、略Ｕ字状の切り欠き部６２４内に管路口金２１０を突き当たるまで挿入した状態において、管路口金２１０の開口部２１１の中心軸と延長口金部６７０の貫通孔６７１中心軸とは略一致するように位置決めされる。
【００８１】
切り欠き部６２４内に管路口金２１０が挿入された状態において、押圧部６２３が延長口金部６７０の基端部に近づくように、固定リング６２１を延長口金部６７０に対して相対的に回転させることで、押圧部６２３と延長口金部６７０の基端部との間に管路口金２１０のフランジ部２１０ａが把持される。
【００８２】
これにより、内視鏡固定部６２０は、管路口金２１０に対して固定される。また、この状態において、延長口金部６７０の基端部は、管路口金２１０の先端部に密接し、延長口金部６７０の貫通孔６７１と管路口金２１０の開口部２１１とが連接される。
【００８３】
一方、延長口金部６７０の先端部側には、前記延長口金部６７０の貫通孔６７１の軸線上に処置具固定口金１０を固定する連結部６３０が固設されている。処置具固定口金１０は、前記連結部６３０によって延長口金部６７０の先端部とは所定の距離だけ離間するように固定される。
【００８４】
この処置具固定口金１０と延長口金部６７０とは間の空間は、図１０に示すように、延長口金部６７０の貫通孔６７１を封止する栓体５０を配設可能とする栓体配設部６４０として構成される。
【００８５】
また、延長口金部６７０の側面部には、第２口金部６８０が配設されている。第２口金部６８０は、延長口金部６７０の貫通孔６７１に連通する開口部６８１を有する。第２口金部６８０の先端部は、吸引、送気又は送水等を行うためのチューブを固定可能な形状を有する。
【００８６】
以上のように、本実施形態の内視鏡用アダプタ６０１は、内視鏡固定部６２０が内視鏡１０１に固定された状態において、管路２００を延長する延長口金部６７０を具備して構成されているのであり、前記延長口金部６７０の先端部に装着される栓体５０は、第１の実施形態と同様に管路２００を封止するように機能する。
【００８７】
そして、栓体５０が配設される空間である栓体配設部６４０を挟んで延長口金部６７０の先端部に対向する位置には、処置具固定口金１０が連結部６３０によって固定されている。
【００８８】
すなわち、本実施形態においても、第１の実施形態と同様に、内視鏡用アダプタ６０１は、管路２００内にシース３１１を挿通可能な状態で処置具３００を内視鏡１０１に対して固定することができる。
【００８９】
また、内視鏡用アダプタ６０１は、管路２００を封止する栓体５０を延長口金部６７０から取り外すことなく、管路２００内に挿通される処置具３００を内視鏡１０１に対して脱着可能とし、内視鏡１０１の操作を容易なものとすることができる。
【００９０】
また、内視鏡アダプタ６０１は、貫通孔６７１に連通する開口部６８１が形成された第２口金部６８０を具備することから、処置具３００を貫通孔６７１に挿通した状態であっても、開口部６８１を経由して吸引、送気又は送水等を行うことができる。
【００９１】
なお、本発明は、上述した実施形態に限られるものではなく、請求の範囲及び明細書全体から読み取れる発明の要旨或いは思想に反しない範囲で適宜変更可能であり、そのような変更を伴う内視鏡用アダプタ及び内視鏡もまた本発明の技術的範囲に含まれるものである。
【図面の簡単な説明】
【００９２】
【図１】内視鏡の概略構成を示す説明図である。
【図２】処置具の概略構成を示す説明図である。
【図３】第１の実施形態の内視鏡用アダプタが内視鏡に固定された状態を示す斜視図である。
【図４】管路口金に栓体が装着された状態を示す斜視図である。
【図５】第１の実施形態の内視鏡及び内視鏡用アダプタの詳細な構成を説明するための斜視図である。
【図６】第２の実施形態の内視鏡用アダプタの斜視図である。
【図７】第３の実施形態の内視鏡用アダプタの斜視図である。
【図８】第４の実施形態の内視鏡用アダプタの構成を説明する部分断面図である。
【図９】第４の実施形態の内視鏡用アダプタを、内視鏡に固定される基端側から見た図である。
【図１０】第４の実施形態の内視鏡用アダプタが管路口金に固定された状態を示す図である。
【符号の説明】
【００９３】
１    内視鏡用アダプタ、
１０    処置具固定口金、
１１    貫通孔、
１２    雄ねじ部、
１３    スリット、
２０    内視鏡固定部、
２１    腕部、
２２    腕部、
２３    凸部、
２４    凸部、
３０    連結部、
３１    腕部、
３２    スリット、
４０    栓体配設部、
５０    栓体、
５１    蓋体、
１０１    内視鏡、
１０２    挿入部、
１０３    操作部、
１０４    ユニバーサルコード、
１０４ａ    内視鏡コネクタ、
１０５    電気ケーブル、
１０５ａ    電気コネクタ、
１０６    超音波ケーブル、
１０６ａ    超音波コネクタ、
１０８    湾曲部、
１０９    可撓管部、
１１１    アングルノブ、
１１２    送気・送水ボタン、
１１３    吸引ボタン、
１２０    先端部、
１２２    超音波探触子、
２００    管路、
２０１    処置具挿通口、
２１０    管路口金、
２１０ａ    フランジ部、
２１１    開口部、
２２０    係合部、
２２２    レール部、
２３２    レール部、
３００    処置具、
３０１    ハンドル部、
３０１ａ    固定部、
３０１ｂ    雌ねじ部、
３０２    ニードルスライダ、
３０３    スタイレット操作部、
３１１    シース、
３１２    針管、
３１３    スタイレット、
４０１    内視鏡用アダプタ（第２の実施形態）、
４２０    内視鏡固定部、
４２１    腕部、
４２２    腕部、
４２３    ねじ孔、
４２４    貫通孔、
４２５    バネ、
４２６    クランプ用ねじ、
５０１    内視鏡用アダプタ（第３の実施形態）、
５２０    内視鏡固定部、
５３３    保持部、
５３４    軸部材、
５３５    平面部、
５４１    貫通孔、
５４２    ねじ孔、
５５０    固定用ねじ、
６０１    内視鏡用アダプタ（第４の実施形態）、
６２０    内視鏡固定部、
６２１    固定リング、
６２２    雌ねじ部、
６２３    押圧部、
６２４    切り欠き部、
６３０    連結部、
６４０    栓体配設部、
６７０    延長口金部、
６７１    貫通孔、
６７２    雄ねじ部
６８０    第２口金部、
６８１    開口部。
【図１】
2010094367.tif 000003
【図２】
2010094367.tif 000004
【図３】
2010094367.tif 000005
【図４】
2010094367.tif 000006
【図５】
2010094367.tif 000007
【図６】
2010094367.tif 000008
【図７】
2010094367.tif 000009
【図８】
2010094367.tif 000010
【図９】
2010094367.tif 000011
【図１０】
2010094367.tif 000012